(57)【要約】【課題】  設置体に設置された状態の掃除機本体が倒れにくいと共に、水等の液体が集塵部に溜まっていることを視認しやすい電気掃除機を提供すること。【解決手段】  透明な材質からなる集塵ケース１０を有する集塵部５を基部４に対して着脱自在に取り付けることで構成される掃除機本体２を、透明な材質で構成された設置体としての充電台３に、前記集塵部５側を下方にしてこの集塵部５の先端部が挿入されるように載置可能としたことで、前記集塵部５の集塵ケース１０内に溜まった水等の液体Ｌが前記基部４内に侵入することが防止され、前記掃除機本体２が前記充電台３から外れにくくすることができると共に、前記充電台３及び集塵部５の集塵ケース１０を通して、前記集塵部５内に水等の液体Ｌが溜まっているかどうかを視認することができる。【選択図】図２
2007190289.tif 000002
【特許請求の範囲】
【請求項１】
基部とこの基部に対して着脱自在に取り付けられる透明又は半透明な材質からなる集塵部とを有する掃除機本体と、前記集塵部側を下方にして前記掃除機本体を載置可能に構成された設置体とを有する電気掃除機において、少なくとも前記集塵部の先端部が前記設置体内に挿入されると共に、前記設置体を透明又は半透明な材質で構成したことを特徴とする電気掃除機。
【請求項２】
前記設置体が充電台であり、この充電台の配電部を不透明に構成すると共に、前記集塵部が挿入される覆い部を透明に構成したことを特徴とする請求項１記載の電気掃除機。
【請求項３】
前記配電部の表面又は裏面をシボ加工することで、前記配電部を不透明に構成したことを特徴とする請求項２記載の電気掃除機。
【請求項４】
基部とこの基部に対して着脱自在に取り付けられる透明又は半透明な材質からなる集塵部とを有する掃除機本体と、前記集塵部側を下方にして前記掃除機本体を載置可能に構成された設置体とを有する電気掃除機において、少なくとも前記集塵部の先端部が前記設置体内に挿入されると共に、前記設置体に窓部を設け、この窓部を通して前記集塵部内を視認可能に構成したことを特徴とする電気掃除機。
【発明の詳細な説明】
【技術分野】
【０００１】
本発明は手持ち型の電気掃除機に関するものであり、特に、水等の液体を吸引可能な電気掃除機に関するものである。
【背景技術】
【０００２】
従来、この種の電気掃除機としては、基部とダストケース（本願発明の集塵部に該当する）とを有する掃除機本体と、この掃除機本体を設置する充電台（本願発明の設置体に該当する）とを有し、前記掃除機本体を、前記ダストケース側を下方にして前記充電台に設置する電気掃除機が知られている。（例えば、特許文献１参照。）。そして、このように前記ダストケース側を下方にして前記充電台に設置できる構造にすることで、水等の液体を吸引可能な手持ち型の電気掃除機を構成することができる。これは、水等を吸い込んで前記ダストケース内に水等が溜められた状態であっても、前記充電台に載置された状態で前記ダストケース側が下方となっていれば、吸引された水等が前記掃除機本体の基部に侵入することがないからである。
【特許文献１】特開２００３−２８４６５６号公報
【発明の開示】
【発明が解決しようとする課題】
【０００３】
しかしながら、このような電気掃除機においては、取り扱いが容易である一方、下方の前記ダストケースの先端が比較的浅い受部に置かれているため、衝撃等によって前記ダストケースの先端が前記受部から外れてしまう虞があった。そして、前記ダストケース内に水等が溜められた状態で前記ダストケースが前記受部から外れてしまうと、前記掃除機本体が倒れ、水等が前記基部内に侵入してしまう虞があった。そして、前記ダストケースが前記受部から外れないようにするために、前記受部を深くして前記ダストケースの先端を前記受部に挿入する構造が考えられるが、このような構造では、前記ダストケース内に水等が溜められているかどうか外部から確認しにくくなるので、水等が溜まってることに気付かずに前記掃除機本体を把持して大きく振り回してしまうと、前記ダストケース内に溜められた水等がこぼれたり、前記基部に侵入したりしてしまう虞があった。
【０００４】
本発明は以上の問題点を解決し、設置体に設置された状態の掃除機本体が倒れにくく、水等の液体が集塵部に溜まっていることを視認しやすい電気掃除機を提供することを目的とする。
【課題を解決するための手段】
【０００５】
本発明の請求項１に記載の電気掃除機は、基部とこの基部に対して着脱自在に取り付けられる透明又は半透明な材質からなる集塵部とを有する掃除機本体と、前記集塵部側を下方にして前記掃除機本体を載置可能に構成された設置体とを有する電気掃除機において、少なくとも前記集塵部の先端部が前記設置体内に挿入されると共に、前記設置体を透明又は半透明な材質で構成したものである。
【０００６】
また、本発明の請求項２に記載の電気掃除機は、請求項１において、前記設置体が充電台であり、この充電台の配電部を不透明に構成すると共に、前記集塵部が挿入される覆い部を透明に構成したものである。
【０００７】
また、本発明の請求項３に記載の電気掃除機は、請求項２において、前記配電部の表面又は裏面をシボ加工することで、前記配電部を不透明に構成したものである。
【０００８】
更に、本発明の請求項４に記載の電気掃除機は、基部とこの基部に対して着脱自在に取り付けられる透明又は半透明な材質からなる集塵部とを有する掃除機本体と、前記集塵部側を下方にして前記掃除機本体を載置可能に構成された設置体とを有する電気掃除機において、少なくとも前記集塵部の先端部が前記設置体内に挿入されると共に、前記設置体に窓部を設け、この窓部を通して前記集塵部内を視認可能に構成したものである。
【発明の効果】
【０００９】
本発明の請求項１に記載の電気掃除機は、以上のように構成することにより、前記掃除機本体の集塵部が下方となるように前記設置体に設置されるので、前記集塵部内に水等の液体が溜められた状態であっても、前記基部内に水等の液体が侵入することが防止される。そして、前記集塵部の先端が前記設置体に挿入されることで、前記掃除機本体が前記設置体から外れにくくすることができる。更に、前記集塵部及び設置体を透明又は半透明な材質で構成することで、これら設置体及び集塵部を通して前記集塵部内に水等の液体が溜まっているかどうかを視認することができる。
【００１０】
なお、前記充電台の配電部を不透明に構成すると共に、前記集塵部が挿入される覆い部を透明に構成することで、不透明な配電部によって電極や配線等を隠すことができると共に、透明な覆い部を通して前記集塵部内を視認することができる。
【００１１】
また、前記配電部の表面又は裏面をシボ加工して前記配電部を不透明にすることで、一つの部材の一部を不透明にすることができ、これによって、透明又は半透明部品と不透明部品とを用いる必要がなく、部品点数を増やさないようにすることができるばかりでなく、塗装等の後加工も必要がないので、製造工程を少なくすることができる。
【００１２】
更に、本発明の請求項４に記載の電気掃除機は、以上のように構成することにより、前記掃除機本体の集塵部が下方となるように前記設置体に設置されるので、前記集塵部内に水等の液体が溜められた状態であっても、前記基部内に水等の液体が侵入することが防止される。そして、前記集塵部の先端が前記設置体に挿入されることで、前記掃除機本体が前記設置体から外れにくくすることができる。更に、前記集塵部を透明又は半透明な材質で構成すると共に、前記設置体に窓部を設けることで、これら設置体の窓部及び集塵部を通して前記集塵部内に水等の液体が溜まっているかどうかを視認することができる。
【発明を実施するための最良の形態】
【００１３】
以下、本発明の第一の実施形態について、図１乃至図６に基づいて説明する。１は電気掃除機である。この電気掃除機１は、掃除機本体２と、設置体としての充電台３とで構成されている。
【００１４】
前記掃除機本体２は、基部４と集塵部５とで構成されている。前記基部４は、内部に図示しない電動送風機、二次電池、及び回路基板等が収容されている。また、前記基部４の後方下部には、後述する腕部２５の上端部が挿入される凹部４Ａが形成されていると共に、この凹部４Ａ内に、後述する給電端子２９と電気的に接する図示しない受電端子が設けられている。また、前記基部４には把持部６が設けられており、この把持部６にスイッチ操作部７、フック８、表示部９等が設けられている。
【００１５】
一方、前記集塵部５は、集塵ケース１０と、フィルタ組立体１１とで構成されている。前記集塵ケース１０は透明な合成樹脂から構成されている。また、前記集塵ケース１０の正面側上部には、前記フック８を受けるためのフック受け１２が一体に形成されている。そして、前記集塵ケース１０の先端側（図１乃至図５においては下端側）には、吸込口１３が形成されていると共に、この吸込口１３から内側に向かって、前記集塵ケース１０と一体に吸込筒１４が形成されている。なお、この吸込筒１４は、前記掃除機本体２を前記充電台３に設置した状態の姿勢において、上方に向かってほぼ垂直に延びている。そして、前記前記吸込筒１４の内端開口部には、合成ゴム等の可撓性を有する材質で構成された逆止弁１５が設けられており、この逆止弁１５によって前記吸込筒１４の内端開口部が開閉自在に構成されている。そして、前記集塵ケース１０の先端側に前記吸込口１３以外の開口が形成されていないことで、前記吸込口１３を下方にした姿勢で前記集塵ケース１０内に水等の液体Ｌが溜められるように構成されている。また、前記集塵ケース１０の背面側には、前記充電台３の後述する腕部２５が入り込む凹部１６が形成されている。更に、前記集塵ケース１０の基端側（図１乃至図５においては上端側）には開口１７が形成されており、この開口１７に前記フィルタ組立体１１が着脱自在に装着される。また、前記フィルタ組立体１１は、シール部１８と、フィルタ支持体１９と、フィルタ２０とで構成されている。前記シール部１８は柔軟な合成樹脂やエラストマー等から構成されていると共に、前記開口１７の内面に接してシールするように構成されている。また、前記フィルタ支持体１９は空洞状に構成されており、正面側にフィルタ取付穴２１が形成されていると共に、背面側に逸流部２２が形成されている。なお、この逸流部２２は、前記フィルタ組立体１１を集塵ケース１０の開口１７に取り付けた状態において、前記吸込筒１４の内端開口部と対向しており、この吸込筒１４から吸い込まれて流入した気液混合物を前記フィルタ取付穴２１とは逆の方向に逸らすように構成されている。更に、前記フィルタ取付穴２１には前記フィルタ２０が取り付けられている。
【００１６】
前記充電台３は二つの半割体３Ａ，３Ｂで構成されており、それぞれの半割体３Ａ，３Ｂは、台部２３と、覆い部２４と、配電部としての腕部２５とを有して一体に形成されている。そして、前記各半割体３Ａ，３Ｂは、それぞれ透明な合成樹脂によって形成されている。なお、前記腕部２５は、その表面がシボ加工されていることで、見かけ上不透明となっている。そして、前記覆い部２４は、前記掃除機本体２の集塵ケース１０の先端側が挿入されるように構成されている。また、前記覆い部２４の内側には、前記集塵ケース１０の吸込口１３を塞ぐ閉塞部２６が立設されていると共に、この閉塞部２６の周囲に、前記吸込口１３の周囲に当接するパッキン２７が取り付けられている。また、前記充電台３の背面側には、受電ジャック２８が設けられており、この受電ジャック２８が前記腕部２５の上端側に設けられた給電端子２９にリード線３０を介して電気的に接続されている。更に、前記腕部２５の上部には屈曲部３１が設けられており、この屈曲部３１に前記掃除機本体２の集塵部５が載るように構成されている。
【００１７】
次に、本実施形態の作用について説明する。まず、前記掃除機本体２を用いて清掃する場合について説明する。前記掃除機本体２を用いて清掃する場合、前記把持部６を把持して前記スイッチ操作部７を操作して図示しないスイッチの電気接点を閉じることで、図示しない二次電池から図示しない電動送風機に電力が供給されて、この電動送風機が作動する。そして、この電動送風機が作動することによって、前記集塵部５を構成する集塵ケース１０の吸込口１３から前記吸込筒１４を通って前記集塵ケース１０内に入り、この集塵ケース１０内から前記フィルタ２０を通過して前記電動送風機に至る吸引気流が形成される。そして、この吸引気流と共に塵埃を吸引すると、前記集塵ケース１０内で前記フィルタ２０によって気流と塵埃が分離され、分離された塵埃が前記集塵ケース１０内に溜められる。なお、前記掃除機本体２を用いて水等の液体Ｌを吸引した場合、前記吸込筒１４の内端開口部から気液混合物が前記集塵ケース１０内に勢いよく流入することになるが、前述したように、前記吸込筒１４の内端開口部と対向して、前記フィルタ支持体１９に、気液混合物を前記フィルタ取付穴２１とは逆の方向に逸らすための逸流部２２が形成されているので、気液混合物中の霧状或いは滴状の液体Ｌが前記逸流部２２によって導かれて前記集塵ケース１０の後方内壁に衝突して液状となり、前記集塵ケース１０内に溜められる。従って、前記集塵ケース１０内に流入した気液混合物中の液体Ｌは、気化したもの及び一部の霧状のものを除き、前記フィルタ２０を通過しない。そして、前記スイッチ操作部７を操作して図示しないスイッチの電気接点を開くことで、前記電動送風機が停止し、吸引も停止する。なお、前記集塵ケース１０内に溜まった塵埃や液体Ｌ等を捨てる場合、前記フック８を操作して前記集塵部５を前記基部４から取り外し、前記集塵ケース１０の開口１７から前記フィルタ組立体１１を取り外し、前記開口１７から塵埃や液体Ｌを排出する。
【００１８】
次に、前記掃除機本体２の二次電池を充電する場合について説明する。前記掃除機本体２の二次電池を充電する場合、前記掃除機本体２の集塵ケース１０の先端側が下方になるようにして、前記掃除機本体２を前記充電台３に設置する。この際、前記集塵部５を構成する前記集塵ケース１０の先端側が前記充電器３の覆い部２４に挿入され、前記閉塞部２６が前記集塵ケース１０の吸込口１３に挿入され、前記腕部２５が前記集塵ケース１０の凹部１６に入り込み、前記腕部２５の上部に設けられた屈曲部３１に前記集塵ケース１０の上部が載ると共に、前記腕部２５の上端が、前記基部４に設けられた凹部４Ａに挿入される。また、前記閉塞部２６の周囲に取り付けられた前記パッキン２７が、前記吸込口１３の周囲に当接する。そして、前記集塵ケース１０の先端が前記覆い部２４に挿入されると共に、前記閉塞部２６が前記集塵ケース１０の吸込口１３に挿入されることで、多少の衝撃では、前記集塵ケース１０の先端側が前記覆い部２４から外れにくくなっている。また、前記腕部２５が前記集塵ケース１０の凹部１６に入り込んだ状態で、前記腕部２５と前記集塵ケース１０の外面とがほぼ面一となる。そして、このように前記腕部２５が前記凹部１６に入り込むことで、前記腕部２５によって前記掃除機本体２が支えられ、この掃除機本体２の左右方向への揺れが規制される。また、前記腕部２５の上端が前記基部４の凹部４Ａに挿入されることで、前記掃除機本体２が支えられる。更に、前記腕部２５の上端が前記基部４の凹部４Ａに挿入されることで、前記腕部２５の上端部に設けられた給電端子２９と前記掃除機本体２の基部４の凹部４Ａ内に設けられた受電端子とが電気的に接続され、図示しない外部電源からの電力が受電ジャック２８、リード線３０、給電端子２９及び受電端子を経て、前記二次電池に給電され、これによって前記二次電池が充電される。
【００１９】
なお、前記集塵ケース１０の先端が前記覆い部２４に挿入されることで、前記集塵ケース１０の外側が前記覆い部２４によって覆われることになるが、前述したように、前記覆い部２４が透明な合成樹脂等で形成されているため、前記集塵ケース１０自体が透明な合成樹脂等で形成されていることと相まって、前記覆い部２４を通して前記集塵ケース１０内を視認することができる。このため、前記集塵ケース１０の先端側を下方にして前記充電台３に設置されることで、前記集塵ケース１０の先端側に水等の液体Ｌが溜まっていたとしても、前記覆い部２４を通して前記集塵ケース１０内の液体Ｌの有無を視認することができるので、液体Ｌが前記集塵ケース１０内に溜まった状態の前記掃除機本体２を振り回して液体Ｌをこぼしてしまうことを予防することができる。また、前記閉塞部２６及びパッキン２７によって前記集塵ケース１０の吸込口１３が閉塞されることで、前記集塵部５内の空気が前記集塵部５外に漏れることが抑制されるので、例えば汚水や牛乳等を吸引して前記集塵部５内で悪臭成分が発生したとしても、この悪臭成分が前記集塵部５外に漏れることが抑制される。
【００２０】
以上のように、本発明の電気掃除機１は、透明な材質からなる集塵ケース１０を有する集塵部５を基部４に対して着脱自在に取り付けることで構成される掃除機本体２を、透明な材質で構成された設置体としての充電台３に、前記集塵部５側を下方にしてこの集塵部５の先端部が挿入されるように載置可能としたことで、前記集塵部５の集塵ケース１０内に溜まった水等の液体Ｌが前記基部４内に侵入することが防止され、前記掃除機本体２が前記充電台３から外れにくくすることができると共に、前記充電台３及び集塵部５の集塵ケース１０を通して、前記集塵部５内に水等の液体Ｌが溜まっているかどうかを視認することができるものである。
【００２１】
また、前記充電台３の覆い部２４を透明に構成し、配電部としての腕部２５を見かけ上不透明に構成することで、前記覆い部２４を通して前記集塵部５内を視認することができる一方、受電ジャック２８や給電端子２９、リード線３０等を外から見えなくすることができるものである。更に、前記腕部２５の表面をシボ加工してこの腕部２５を見かけ上不透明にすることで、前記充電台３の半割体３Ａ，３Ｂの覆い部２４を透明、腕部２５を見かけ上不透明にすることができ、これによって、透明部品と不透明部品とを用いる必要がなく、部品点数を増やさないようにすることができるばかりでなく、塗装等の後加工も必要ないので、製造工程を少なくすることができるものである。
【００２２】
次に、本発明の第二の実施形態について、図７及び図８に基づいて説明する。なお、第一の実施形態と共通する部分については、共通の符号を付し、その説明を省略する。４１は電気掃除機である。この電気掃除機４１は、掃除機本体２と、設置体としての充電台４３とで構成されている。前記充電台４３は、不透明な合成樹脂によって形成された二つの割体４３Ａ，４３Ｂと、透明な合成樹脂によって形成された窓部４４で構成されている。そして、前記各割体４３Ａ，４３Ｂは、それぞれ台部４５と、覆い部４６と、配電部としての腕部４７とを有して一体に形成されている。また、前記覆い部４６には、前記窓部４４を固定するための切欠部４８が形成されている。そして、前記覆い部４６は、前記掃除機本体２の集塵ケース１０の先端側が挿入されるように構成されている。また、前記覆い部４６の内側には、前記集塵ケース１０の吸込口１３を塞ぐ閉塞部４９が立設されていると共に、この閉塞部４９の周囲に、前記吸込口１３の周囲に当接するパッキン２７が取り付けられている。また、前記充電台４３の背面側には、受電ジャック２８が設けられており、この受電ジャック２８が前記腕部４７の上端側に設けられた給電端子２９にリード線３０を介して電気的に接続されている。更に、前記腕部４７の上部には屈曲部５０が設けられており、この屈曲部５０に前記掃除機本体２の集塵部５が載るように構成されている。
【００２３】
次に、本実施形態の作用について説明する。なお、第一の実施形態と共通する作用については、その説明を省略する。前記掃除機本体２の二次電池を充電する場合、前記掃除機本体２の集塵ケース１０の先端側が下方になるようにして、前記掃除機本体２を前記充電台４３に設置する。なお、前記集塵ケース１０の先端が前記覆い部４６に挿入されることで、前記集塵ケース１０の外側が不透明な合成樹脂等で形成された前記覆い部４６によって覆われることになるが、前述したように、前記覆い部４６に透明な合成樹脂等で形成された窓部４４が設けられているため、前記集塵ケース１０自体が透明な合成樹脂等で形成されていることと相まって、前記窓部４４を通して前記集塵ケース１０内を視認することができる。このため、前記集塵ケース１０の先端側を下方にして前記充電台４３に設置されることで、前記集塵ケース１０の先端側に水等の液体Ｌが溜まっていたとしても、前記窓部４４を通して前記集塵ケース１０内の液体Ｌの有無を視認することができるので、液体Ｌが前記集塵ケース１０内に溜まった状態の前記掃除機本体２を振り回して液体Ｌをこぼしてしまうことを予防することができる。
【００２４】
以上のように、本発明の電気掃除機４１は、透明な材質からなる集塵ケース１０を有する集塵部５を基部４に対して着脱自在に取り付けることで構成される掃除機本体２を、窓部４４が設けられた設置体としての充電台４３に、前記集塵部５側を下方にしてこの集塵部５の先端部が挿入されるように載置可能としたことで、前記集塵部５の集塵ケース１０内に溜まった水等の液体Ｌが前記基部４内に侵入することが防止され、前記掃除機本体２が前記充電台４３から外れにくくすることができると共に、前記窓部４４及び集塵部５の集塵ケース１０を通して、前記集塵部５内に水等の液体Ｌが溜まっているかどうかを視認することができるものである。
【００２５】
なお、本発明は以上の実施形態に限定されるものではなく、発明の要旨の範囲内で種々の変形実施が可能である。例えば、第一の実施形態において、集塵部の集塵ケース及び充電台の覆い部をそれぞれ透明な材質で構成したが、前記集塵部内を視認できるのであれば、半透明な材質で構成してもよい。また、第一の実施形態において、前記充電台の配電部となる腕部の外面をシボ加工したが、前記腕部の内面をシボ加工してもよい。また、第二の実施形態において、窓部として透明な部材を設けたが、前記充電台に貫通穴を形成し、この貫通穴を窓部としてもよい。更に、第二の実施形態において、前記窓部を設ける位置は、覆い部であれば任意に設定できる。
【図面の簡単な説明】
【００２６】
【図１】本発明の第一の実施形態を示す電気掃除機の正面図である。
【図２】同上、側面図である。
【図３】同上、背面図である。
【図４】同上、一部を切り欠いた側面図である。
【図５】同上、掃除機本体の側面図である。
【図６】同上、充電台の側面図である。
【図７】本発明の第二の実施形態を示す電気掃除機の正面図である。
【図８】同上、一部を切り欠いた側面図である。
【符号の説明】
【００２７】
１，４１  電気掃除機
２  掃除機本体
３，４３  充電台（設置体）
４  基部
５  集塵部
２４，４６  覆い部
２５，４７  腕部（配電部）
４４  窓部
Ｌ  液体
【図１】
2007190289.tif 000003
【図２】
2007190289.tif 000004
【図３】
2007190289.tif 000005
【図４】
2007190289.tif 000006
【図５】
2007190289.tif 000007
【図６】
2007190289.tif 000008
【図７】
2007190289.tif 000009
【図８】
2007190289.tif 000010